(57)【要約】【課題】記憶媒体に記憶された画像群から複数の画像を選択し且つアノテーションとともに１枚の画像として表示、あるいは記録すること。【解決手段】  本発明の内視鏡装置１は、着脱自在なメモリーカード１０に内視鏡画像及び患者情報を記憶、あるいはメモリーカード１０に記録された前記内視鏡画像及び患者情報を再生可能なもので、複数の前記内視鏡画像を一覧形式で再生するとともに、この再生された一覧の中から少なくとも１つの内視鏡画像を選択する前段、後段映像処理部２７、３１及びキーボード７、マウス８と、前記患者情報以外の付加情報を入力するとともに、前記選択された内視鏡画像に付加して表示するグラフィック表示／重畳部３２及びモニタ５と、前記選択された内視鏡画像と前記付加情報とをメモリーカード１０に記録し、あるいは再生するＰＣカードコントローラ４９及びＣＰＵ３８と、を具備している。【選択図】図１
2006218233.tif 000002
【特許請求の範囲】
【請求項１】
着脱自在な記憶媒体に内視鏡画像及び患者情報を記憶、あるいは前記記憶媒体に記録された前記内視鏡画像及び患者情報を再生可能な内視鏡装置において、
複数の前記内視鏡画像を一覧形式で再生するとともに、この再生された一覧の中から少なくとも１つの内視鏡画像を選択する選択手段と、
前記患者情報以外の付加情報を入力するとともに、前記選択手段により選択された内視鏡画像に付加して表示する表示手段と、
前記選択された内視鏡画像と前記付加情報とを前記記憶媒体に記録し、あるいは再生する記録再生手段と、
を具備したことを特徴とする内視鏡装置。
【請求項２】
さらに、前記選択手段により選択された内視鏡画像のレイアウトを指定する指定手段を設けたことを特徴とする請求項１に記載の内視鏡装置。
【請求項３】
前記選択手段は、選択する内視鏡画像の数を任意に設定することが可能であり、前記指定手段は、前記選択手段により設定された内視鏡画像の数に応じて前記内視鏡画像のレイアウトを指定することを特徴とする請求項２に記載の内視鏡装置。
【請求項４】
前記記録再生手段は、前記付加情報の記録を、画像ファイルへのリンクを含むハイパーテキスト形式で行うことを特徴とする請求項１乃至請求項３のいずれか１つに記載の内視鏡装置。
【発明の詳細な説明】
【技術分野】
【０００１】
本発明は、内視鏡装置、さらに詳しくは、着脱自在な記憶媒体に記録された内視鏡画像の再生部分に特徴のある内視鏡装置に関する。
【背景技術】
【０００２】
近年、内視鏡は、医療用分野及び工業用分野で広く用いられるようになった。また、最近は、光学式内視鏡の接眼部に撮像手段を備えたテレビカメラを装着したテレビカメラ外付け式内視鏡や、先端部に撮像手段を備えた電子内視鏡により、撮像した内視鏡画像をモニターに表示する内視鏡装置も広く用いられるようになった。
【０００３】
この種の内視鏡装置は、従来より、内視鏡を用いて撮像した内視鏡画像を着脱自在な記憶媒体に記録、再生可能とする技術を備えたものが数多く提案されている。
【０００４】
例えば、特開平６−９６１７０号公報に記載の内視鏡情報記録システムには、画像読取手段によって読み取った画像情報、及び音声読取手段によって読み取った音声情報をカード状記録媒体に記録する技術が開示されている。
【０００５】
また、特開平１１−８９７９２号公報に記載の内視鏡システムには、内視鏡からの撮像信号を信号処理する映像信号処理装置を有し、この映像信号処理装置に具備する映像信号出力制御手段によって、少なくともカード検知手段が記憶媒体であるＰＣカードのＰＣカードスロットへの装着を検知した場合、ＰＣカード内のメモリに内視鏡画像のフリーズ画像を格納するメモリ制御手段に、前記撮像信号を信号処理する信号処理手段からの映像信号を出力するようにして前記ＰＣカードに記録する技術が開示されている。
【０００６】
さらに、特開平１１−３２９８３号公報に記載の内視鏡撮像装置には、信号処理手段におけ寝る映像信号特性の調整を行う複数の調整手段と、この調整手段の調整値を記憶する外部記憶手段であるメモリーカードとを有し、制御手段によって、メモリーカードに記憶された調整値を基に前記調整手段の動作設定を変更する技術が開示されている。
【０００７】
近年、この種の内視鏡装置は、検査後にＰＣカードやメモリーカード等の記録媒体に記録した画像群を用いて効果的に分析や診断を行うためには、前記記録媒体に記録した画像群から複数の所望画像を選択して１枚の画像として表示やプリントアウトすることが望まれている。
【特許文献１】特開平６−９６１７０号公報
【特許文献２】特開平１１−８９７９２号公報
【特許文献３】特開平１１−３２９８３号公報
【発明の開示】
【発明が解決しようとする課題】
【０００８】
しかしながら、前記従来技術では、ＰＣカードやメモリーカード等の記録媒体に記録した画像を読み出して再生する場合、サムネイル表示などその一覧表示や全画面表示しか行うことができず、前記記憶媒体に記憶された画像群から所望の複数の画像を選択し１枚の画像として表示やプリントアウトすることができないといった問題点があった。
【０００９】
また、さらに、分析や診断を効果的に行うためには、選択した画像に、後から患者情報以外に付加情報、例えば注釈（以下、アノテーションと称す）を付記することが望まれているが、前記従来技術では、アノテーションを付記することができないといった問題点もあった。
【００１０】
そこで、本発明は前記事情に鑑みてなされたもので、記憶媒体に記憶された画像群から複数の画像を選択し且つアノテーションとともに１枚の画像として表示、あるいは記録することができる内視鏡装置を提供することを目的とする。
【課題を解決するための手段】
【００１１】
本発明の内視鏡装置は、着脱自在な記憶媒体に内視鏡画像及び患者情報を記憶、あるいは前記記憶媒体に記録された前記内視鏡画像及び患者情報を再生可能な内視鏡装置において、複数の前記内視鏡画像を一覧形式で再生するとともに、この再生された一覧の中から少なくとも１つの内視鏡画像を選択する選択手段と、前記患者情報以外の付加情報を入力するとともに、前記選択手段により選択された内視鏡画像に付加して表示する表示手段と、前記選択された内視鏡画像と前記付加情報とを前記記憶媒体に記録し、あるいは再生する記録再生手段と、を具備したことを特徴とするものである。
【発明の効果】
【００１２】
本発明の内視鏡装置によれば、記憶媒体に記憶された画像群から複数の画像を選択し且つアノテーションとともに１枚の画像として表示、あるいは記録することができるといった利点がある。
【発明を実施するための最良の形態】
【００１３】
以下、図面を参照して本発明の実施例を説明する。
【実施例１】
【００１４】
図１は、本発明の内視鏡装置の第１実施例を示し、内視鏡装置の全体構成を示すフロック図である。
【００１５】
図１に示すように、本実施例の内視鏡装置１は、体腔内に挿入され、体腔内を撮像するための電子内視鏡（以下、内視鏡と略記）２と、観察用の照明光を発生する光源装置３を有し、内視鏡２で撮像された画像信号に対する信号処理を行うビデオプロセッサ４と、内視鏡画像を表示する観察モニタ（以降、モニタと称す）５と、内視鏡画像をプリントアウトするビデオプリンタ６と、内視鏡装置全体の操作指示やデータ入力を行うキーボード７と、マウス８と、ビデオプロセッサ４に着脱自在な記憶媒体としてのＵＳＢメモリ９と、ビデオプロセッサ４に着脱自在な記憶媒体としてのメモリーカード(ＰＣカード）１０と、を有している。  
なお、前記光源装置３は、前記ビデオプロセッサ４と一体的に構成したものであるが、別体となっていても良い。
【００１６】
前記内視鏡２は、体腔内に挿入される細長の挿入部２Ａと、この挿入部２Ａの後端に設けられた操作部２Ｂとを有する。  
この挿入部２Ａ内には照明光を伝送するライトガイド１６が挿通され、このライトガイド１６の後端のライトガイドコネクタ１４は光源装置３に着脱自在に接続され、光源装置３から供給される照明光を伝送し、挿入部２Ａの先端部２ａの照明窓（図示せず）に取り付けられた先端面からさらに照明レンズ１７を経て体腔内の患部等の被写体２Ｃ側を照明する。
【００１７】
この先端部２ａには、照明窓に隣接して観察窓（図示せず）が設けてあり、この観察窓には対物光学系１８が取り付けてある。この対物光学系１８の結像位置に照明された被写体２Ｃの光学像を結像する。この結像位置には固体撮像素子としてＣＣＤ１９が配置されており、結像された光学像を光電変換する。
【００１８】
このＣＣＤ１９は挿入部２Ａ内等に挿通された信号線、コネクタ１１、ケーブル１２、コネクタ１３を介してビデオプロセッサ４と電気的に接続される。そして、ＣＣＤ１９は、光電変換してなる画像信号（撮像信号）を先端部２ａ内に配されたアンプ２０により増幅さけた後、前記信号線、コネクタ１１、ケーブル１２、コネクタ１３を介してビデオプロセッサ４に出力する。
【００１９】
また、この内視鏡２の操作部２Ｂ等には、内視鏡２の機種情報（例えばＣＣＤの識別情報など）や電子シャッタ速度等が記憶されたＣＣＤ識別情報部２２と、このＣＣＤ１９を駆動させて観察モードを実行するためのスイッチ２１とが設けてある。
【００２０】
光源装置３は、光を照射するキセノンランプ等のランプ２３と、このランプ２３の照明光路上に設けられ、複数の光学フィルタ、照明光照明光絞り及び回転フィルタ等を有し、照明光量を調整する調光部２４と、この調光部２４を制御する調光制御部２５と、を有している。
【００２１】
この調光制御部２５は、後述するビデオプロセッサ４の調光制御部３０からコネクタ１３、ケーブル１２、コネクタ１１、信号線を介して供給される制御信号に基づいて前記調光部２４を制御するようになっている。
【００２２】
ビデオプロセッサ４は、ＣＣＤ１９を駆動する駆動信号を発生するＣＣＤ駆動部２９を有している。  
また、このビデオプロセッサ４は、ＣＣＤ１９から出力された撮像信号をデジタル信号に変換するＡ／Ｄ変換回路２６と、Ａ／Ｄ変換回路２６から出力された画像データに対する前処理を行う前段映像処理部２７と、アイソレーション部２８と、アイソレーション部２８からの画像データに対する後処理を行う後段映像処理部３１と、この後段映像処理部３１からの画像データと後述する外部の記憶媒体であるＵＳＢメモリ９やメモリーカード１０に記憶された画像データとを合成、重畳処理するグラフィック表示／重畳部３２と、Ｄ／Ａ変換回路３４との順に画像信号が流れるように構成されている。
【００２３】
また、このビデオプロセッサ４には、前記光源装置３の調光制御部２５を制御する調光制御部３０と、後段映像処理部３１からの画像データあるいは前記メモリーカード１０等の記憶媒体からの画像データをキャプチャするキャプチャ部３３と、装置全体の各種制御動作を行うＣＰＵ３８と、このＣＰＵ３８のバス３９と、ＲＡＭ４０と、フラッシュメモリ４１と、Ｉ／Ｏポート４２と、パネル４３と、ＰＣＩ（Periferal Component Interconnect）バスブリッジ４４と、ＰＣＩバス４５と、このＰＣＩバス４５に接続されるＵＳＢ（Universal Serial Bus）ホストコントローラ４６、ＰＣカードコントローラ４８及びユーアート（Universal Asynchronous Receiver Transmitter の略で以下、ＵＡＲＴと称す）５０と、が備えられている。
【００２４】
さらに、ビデオプロセッサ４には、前記モニタ５を接続するためのコネクタ３５と、前記ビデオプリンタ６を接続するためのコネクタ３６と、前記ＵＡＲＴ５０と前記ビデオプリンタ６とを接続するための接続端子３７と、前記ＵＳＢコントローラ４６と外部のＵＳＢ機器（キーボード７、マウス８、ＵＳＢメモリ９等）とを接続するためのコネクタ部４７と、前記ＰＣカードコントローラ４８とメモリーカード１０とを接続するためのスロット４９とが備えられている。
【００２５】
前記構成のビデオプロセッサ４では、図１に示すように、ＣＣＤ１９から得られた画像信号は、Ａ／Ｄ変換回路２６によりＡ／Ｄ変換され、前段映像処理部２７に出力される。
【００２６】
その後、デジタル化された画像データは、前段映像処理部２７により色分離などの前段処理が施された後、アイソレーション部２８により絶縁された上で後段映像処理部３１に出力される。
【００２７】
この後段映像処理部３１では、供給された画像データに対し、γ変換、輪郭強調や拡大縮小などの映像処理が施される。その後、画像データは、グラフィック表示／重畳部３２により後述するＣＰＵ回路側からの画像データ（ＯＳＤ（On-Screen Display）表示画像も含む）や文字情報が重畳されてＤ／Ａ変換回路３４に出力される。
【００２８】
Ｄ／Ａ変換回路３４では、供給された画像データをアナログ化し、アナログ化された画像データは前記コネクタ３５、３６を介してモニタ５、ビデオプリンタ６に出力される。こうして、モニタ５によって供給された画像信号に基づく画像（内視鏡画像）が表示され、またビデオプリンタ６によって供給された画像信号に基づく画像がプリントアウトされるようになっている。
【００２９】
なお、本実施例では、内視鏡装置１は、画素数などの駆動条件の異なる複数のＣＣＤ１９を駆動するため、前記したように内視鏡２の操作部２Ｂ等にＣＣＤ識別情報部２２を設けており、ビデオプロセッサ４は、このＣＣＤ識別情報部２２に記憶された識別情報を用いてＣＣＤ１９の駆動条件や前記後段映像処理部３１の処理パラメータを変更するように制御している。  
また、本実施例では、前記したように被写体２Ｃの照明状態を最適に保つため、前記光源装置３内には調光部２４及び調光制御部２５が設けられており、これらの調光部２４及び調光制御部２５がビデオプロセッサ４内の調光制御部３０によって制御されることで、照明光の強度が調整されるようになっている。
【００３０】
図１に示すように、前記後段映像処理部３１からの出力画像データは、キャプチャ部３３にも供給されるようになっている。このキャプチャ部３３は、前記ＰＣＩバス４５に接続されており、内視鏡画像データを取り込み、前記ＰＣＩバス４５を介して後述するＣＰＵ回路側へ出力する。
【００３１】
ＣＰＵ回路としては、前記したようにＣＰＵ３８、バス３９、ＲＡＭ４０、フラッシュメモリ４１、Ｉ／Ｏポート４２、ＰＣＩバスブリッジ４４、ＰＣＩバス４５、ＵＳＢコントローラ４６、ＰＣカードコントローラ４８及びＵＡＲＴ５０とで構成されている。  
前記ＣＰＵ回路は、ビデオプロセッサ４内部の制御及び外部機器との通信を行うようになっている。
【００３２】
前記ＣＰＵ３８には、バス３９を介して、プログラム及びデータを一時記憶するためのＲＡＭ４０、プログラム及びデータを電源ＯＦＦ時も保持するフラッシュメモリ４１、及び各回路群からの入出力信号を制御するＩ／Ｏポート４２が接続される。
【００３３】
このＩ／Ｏポート４２には、前記パネル４３が接続される。このパネル４３は、画質調整用のスイッチやＬＥＤを設けおり、使用者からの入力を受け付けたり、ＬＥＤ表示を制御する。
【００３４】
また、前記ＣＰＵ３８のバス３９には、前記ＰＣＩバスブリッジ４４が接続されている。このＰＣＩバスブリッジ４４は、前記ＣＰＵ３８のバス４９を汎用バスであるＰＣＩバス４５に変換する。このＰＣＩバス４５上には、前記キャプチャ回路３３、ＵＳＢコントローラ４６、ＰＣカードコントローラ４８及びＵＡＲＴ５０が接続されている。
【００３５】
前記ＵＳＢコントローラ４６は、コネクタ部４７を介して外部のＵＳＢ機器に接続するための回路であり、本実施例では、ＵＳＢ機器としてキーボード７及びマウス８のＨＩＤ（Human Interface Device）や、ＵＳＢメモリ９（例えばStrage Device）が接続される。
【００３６】
なお、前記コネクタ部４７は、キーボード７を接続するためのコネクタ４７ａと、マウス８のＨＩＤを接続するためのコネクタ４７ｂと、ＵＳＢメモリ９を接続するためのコネクタ４７ｃとを有している。
【００３７】
前記ＰＣカードコントローラ４８は、ビデオプロセッサ４に設けられたＰＣカードスロット４９に接続され、このＰＣカードスロット４９に着脱されるメモリーカード１０に対する制御を行う。前記ＵＡＲＴ５０は、外部の機器とシリアル通信を行うための回路であり、本実施例ではビデオプリンタ６等の機器をリモート制御するために使用される。
【００３８】
図２は図１のビデオプロセッサの外観構成を示す正面図である。  
図２に示すように、前記構成のビデオプロセッサ４は、本体４Ａを有し、この本体４Ａの前面にはフロントパネル４Ｂが設けられている。  
このフロントパネル４Ｂの図２中左側端部には、ビデオプロセッサ４の電源を投入するための電源スイッチ５１が設けられている。この電源スイッチ５１の近傍には、前記内視鏡２のケーブル１２の基端部に設けられたコネクタ（図示せず）を接続するための内視鏡接続コネクタ５２（図１中ではコネクタ１３に相当）が設けられている。
【００３９】
また、フロントパネル４Ｂの図中右側部分には、モニタ５のホワイトバランスを調整するためのホワイトバランススイッチ５３が設けられている。また、そのホワイトバランス５３の図中右側部分には、光源装置３による光量を調整するための光量調整スイッチ５４及び光量調整時にレベルを表示するＬＥＤ５４ａが設けられている。
【００４０】
また、フロントパネル４Ｂの図中中央近傍には、入力画像を選択するための画像選択スイッチ５５が設けられている。  
この画像選択スイッチ５５は、例えば図中左からＳＣＯＰＥ（内視鏡２）、ＤＶ／ＶＣＲ、ＰＣ（メモリーカード１０）、ＰＲＩＮＴＥＲ（ビデオプリンタ６）、ＰｉｎＰ（モニタ５に表示されているピクチャーインピクチャーの画像）などの複数のスイッチを有し、各複数のスイッチの上部には、動作中であることを使用者に知らしめるためのＬＥＤ５５ａが設けられている。
【００４１】
画像選択スイッチ５５の下方には、リセットスイッチ５６、エンハンス（画像強調）レベルスイッチ５７、測光モード切替スイッチ５８が設けられている。  
リセットスイッチ５６は、例えば実行中の動作を停止し、リセットするためのスイッチである。エンハンスレベルスイッチ５７は、モニターに表示されている画像を強調したいときに押下するスイッチである。測光モード切替スイッチ５８は、測光モードを切替える場合の押下するスイッチである。
【００４２】
また、前記したようにビデオプロセッサ４のフロントパネル４Ｂには、ＰＣカードスロット６２（図１の符号４９に相当）が設けられている。このＰＣカードスロット６２の図中右側には、外部の画像機器と接続するための外部画像入力コネクタ６３が設けられている。
【００４３】
本実施例では、前記ＰＣカードスロット６２の図中左側近傍には、ＰＣカード停止スイッチ５９及びアクセス表示ＬＥＤ６０が設けられている。  
前記ＰＣカード停止スイッチ５９は、前記ＰＣカードスロット６２へのメモリーカード１０の装着時、前記ＣＰＵ３８が前記メモリーカード１０に対してアクセスしている最中に、なんらかの事情でそのアクセス動作を停止する必要がある場合に押下するスイッチである。
【００４４】
つまり、このＰＣカード停止スイッチ５９を使用者が押下することにより、ＣＰＵ３８は、これを認識し、メモリーカード１０に対するアクセスを停止するようにＰＣカードコントローラ４８を制御するようになっている。
【００４５】
また、前記アクセス表示ＬＥＤ６０は、前記ＣＰＵ３８がメモリーカード１０に対してアクセスしている場合には表示されるようになっており、使用者にアクセス中であることを知らしめることができるようになっている。
【００４６】
図３は、図１のキーボードの外観構成を示す上面図である。  
図３に示すように、本実施例のビデオプロセッサ４に接続されるてキーボード７は、本体７Ａを有し、この本体７Ａは、主キー入力部７Ｂと、この主キー入力部７Ｂの上部に配される副キー入力部７Ｃとを有している。
【００４７】
前記主キー入力部７Ｂは、主に通常の入力キー７０と、この入力キー７０の上部に配された複数のファンクションキー７１のひとつに割り当てられたＰＣカード停止キー（ＰＣカード停止スイッチ５９と同様に作用）７２と、前記ファンクションキー７１の他のキーに割り当てられたＰＣカード表示キー７３と、前記ファンクションキー７１に併設されたＶＴＲ制御キー７４と、を有している。
【００４８】
ＰＣカード表示キー７３は、メモリーカード１０に記憶された画像を表示したりする際に押下するスイッチである。また、ＶＴＲ制御キー７４は、図示しないＶＴＲがビデオプロセッサ４に接続された場合にこのＶＴＲを制御するためのスイッチである。
【００４９】
前記副キー入力部７Ｃは、本体７Ａの図中右側部分に配され、マウス８を操作するためのポインタ部７５と、本体７Ａ図中左側部分に配され、ビデオプリンタ６を制御するためのプリンタ制御キー７８と、このプリンタ制御キー７８の近傍に配された色調キー７９と、この色調キー７９の隣りに配されたフリーズキー８１、レリーズキー８２及び検査終了キー８３とを有している。
【００５０】
ポインタ部７５は、周知のようにモニタ５のカーソル操作や実行指示を行う手段であって、カーソルを操作するためのポインタ７７と、実行ボタン７６とを有している。  
また、前記色調キー７９の隣りには、この色調キー７９によって操作される色調の度合いを示す色調ＬＥＤ８０が設けられており、使用者は一目で色調調整時のレベルを認識できるようになっている。
【００５１】
本実施例の内視鏡装置１は、使用者が前記構成のキーボード７を用いてデータ入力を行うことにより、患者名などの情報（患者情報）や付加情報を内視鏡画像データに付加することができるようになっている。  
また、内視鏡装置１は、メモリーカード１０やＵＳＢメモリ９にこれらの情報を画像データとともに記録することができる。  
さらに、内視鏡装置１は、ビデオプリンタ６等の外部機器と通信を行い、同様に前記情報を画像データとともに記録することが可能である。なお、この際の記録の指示は、内視鏡２の操作部２Ｂに設けられたスイッチ２１やキーボード７、またはパネル４３のスイッチにより実行可能である。
【００５２】
また、前記したように前記キーボード７には、ＰＣカード表示キー７３が設けられており、このＰＣカード表示キー７３を押下すると、ＣＰＵ３８は、ＰＣカードコントローラ４８またはＵＳＢホストコントローラ４６を制御して記憶媒体であるメモリーカード１０またはＵＳＢメモリ９からの画像データの読み出しを行い、グラフィック表示／重畳部３２を介して、モニタ５に画像データ及び情報を表示させることができるようになっている。
【００５３】
ところで、本実施例の内視鏡装置１は、メモリーカード１０等の記録媒体に記録した画像を読み出して再生する場合、前記記憶媒体に記憶された画像群から所望の複数の画像を選択し１枚の画像として表示やプリントアウトすることが可能である。
【００５４】
さらに、内視鏡装置１は、分析や診断を効果的に行うために必要な患者情報や付加情報であるアノテーションを、後から前記選択した画像に付記することが可能である。
【００５５】
なお、本実施例では、所望の複数の画像を選択し１枚の画像として表示やプリントアウトし、さらに、分析や診断を効果的に行うために必要な患者情報や付加情報であるアノテーションを後から前記選択した画像に付記する機能に関し、以降、アノテーション機能と称している。
【００５６】
このような内視鏡装置１によるアノテーション機能について、図４及び図５を参照しながら説明する。  
図４及び図５は本実施例の内視鏡装置１によるアノテーション機能を説明するためのもので、図４は画像を選択しアノテーション画像を構築するための操作手順を示す説明図、図５は図４で構築されたアノテーション画像をメモリーカードに記録した場合のホルダ構造を示す説明図である。
【００５７】
図４に示すように、本実施例の内視鏡装置１では、前記ＣＰＵ３８は、例えば図３に示すＰＣカード表示キー７３を押下してアノテーション機能を実行すると、前記したようにＰＣカードコントローラ４８またはＵＳＢホストコントローラ４６を制御して記憶媒体であるメモリーカード１０またはＵＳＢメモリ９からの画像データ及び情報の読み出しを行い、グラフィック表示／重畳部３２を介して、モニタ５に、例えば図４に示すような複数の画像を有するアノテーション画面５Ａを表示させる。
【００５８】
アノテーション画面５Ａは、図４に示すように、アノテーション画像を選択するためのアノテーション位置指定部９０と、このアノテーション位置指定部９０により選択した画像を実行するための「Ｖｉｅｗ」ボタン９１と、その選択操作を取り消しするための「Ｃａｎｃｅｌ」ボタン９２と、このアノーテーション画面５Ａにて画像選択及びボタン実行を操作するためのカーソル９３と、複数の画像が表示される画像表示エリア９４と、を有している。
【００５９】
前記アノテーション位置指定部９０は、例えば４つの画像を選択するようになっており、それぞれアノーテーション位置指定に応じた指定部９０ａ、９０ｂ、９０ｃ、９０ｄを有している。  
この場合、前記指定部９０ａは、画面の左上の位置に画像を選択するためのもので、前記指定部９０ｂは、画面の右上の位置に画像を選択するためのものである。同じように、前記指定部９０ｃは、画面の左下の位置に画像を選択するためのもので、前記指定部９０ｄは、画面の右下の位置に画像を選択するためのものである。
【００６０】
なお、本実施例では、前記４つの指定部９０ａ〜９０ｄは、色分けされており、例えば、前記指定部９０ａを赤（図中では横線で示す）、前記指定部９０ｂを青（図中では縦線で示す）、前記指定部９０ｃを緑（図中では右斜め斜線で示す）、そして、前記指定部９０ｄを黄色（図中では左斜め斜線で示す）としている。これにより、一目でアノテーション位置を認識できる。
【００６１】
使用者は、次のアノテーション画面５Ｂにおいて、図３に示すキーボード７のポインタ部７５、あるいはマウス８（図１参照）を用いて、カーソル９３を指定部９０ａに合わせる。
【００６２】
すると、ビデオプロセッサ４のＣＰＵ３８は、この指定部９０ａに対応する位置に配置する画像の選択モードを実行する。つまり、次のアノテーション画面５Ｃに示すように、ＣＰＵ３８は、カーソル６３の移動に伴い、画像表示エリア９４内に画像選択カーソル９０Ａを表示させる。
【００６３】
そして、使用者は、例えば所望する画像が画像９４ａだとすると、前記カーソル９３をこの画像９４ａに合わせることにより、前記画像選択カーソル９０Ａによってこの画像９４ａが指定され、実行ボタン７６（図３参照）を押下することにより決定される。
【００６４】
次に、使用者は、次のアノテーション画面５Ｄにおいて、図３に示すキーボード７のポインタ部７５、あるいはマウス８（図１参照）を用いて、カーソル９３を指定部９０ｂに合わせる。
【００６５】
すると、前記ＣＰＵ３８は、前記同様、この指定部９０ｂに対応する位置に配置する画像の選択モードを実行する。つまり、アノテーション画面５Ｄに示すように、ＣＰＵ３８は、カーソル６３の移動に伴い、画像表示エリア９４内に画像選択カーソル９０Ｂを表示させる。
【００６６】
そして、使用者は、例えば所望する画像が画像９４ｂだとすると、前記カーソル９３をこの画像９４ｂに合わせることにより、前記画像選択カーソル９０Ｂによってこの画像９４ｂが指定され、実行ボタン７６（図３参照）を押下することにより決定される。
【００６７】
その後、前記指定部９０ｃ、９０ｄについても前記画像選択動作と同じようにして画像を選択する。  
そして、４つめの指定部９０ｃの画像選択動作を完了すると、使用者は、カーソル９３を「Ｖｉｅｗ」ボタン９１に合わせ、実行ボタン７６（図３参照）を押下することによりアノテーション画像の画像選択を完了する。
【００６８】
すると、ＣＰＵ３８は、選択された画像データに基づく画像を前記指定部９０ａ〜９０ｄにより指定された位置に配置するとともに、患者情報やアノテーションを付加したアノテーション画面５Ｊを生成し、モニタ５に表示させる。
【００６９】
すなわち、図４に示すように、前記アノテーション画面５Ｊは、このアノテーション画像の関連情報（患者情報）を表示する表示エリア９７と、指定された位置に表示された４つの画像９４ａ〜９４ｄからなるアノテーション画像表示エリア９８と、画面下部に配され、このアノテーション画像に対するコメントなどのアノテーションを表示するためのアノテーション表示エリア９９と、このアノテーション画面５Ｊに基づく画像データ及びアノテーションの記憶を実行操作するための「Ｓａｖｅ」ボタン９５と、このアノテーション画面５Ｊをプリントアウトを指示するための「Ｐｒｉｎｔ」ボタン９６と、「Ｃａｎｃｅｌ」ボタン９２と、を有している。
【００７０】
なお、本実施例では、前記アノテーション表示エリア９９をカーソル９３で指定し実行すれば、キーボード７等を用いて、コメント等のアノテーション９９ａを挿入したり、編集したりすることも可能である。
【００７１】
また、本実施例では、４つの指定部９０ａ〜９０ｄによって４つのアノテーション画像を選択した場合について説明したが、これに限定されるものではなく、例えば３つ等の使使用者が所望する数に自在に設定することも可能である。
【００７２】
そして、使用者は、図４に示すアノテーション画面５Ｊをプリントアウトする場合には、前記カーソル９３を「Ｐｒｉｎｔ」ボタン９６に合わせて実行ボタン７６（図３参照）を押下する。
【００７３】
これにより、ＣＰＵ３８は、このアノテーション画面５Ｊに基づく画像データ及び情報をＵＡＲＴ５０により通信を行うことでビデオプリンタ６に供給してプリントアウトするように制御する。
【００７４】
また、使用者は、図４に示すアノテーション画面５Ｊをメモリーカード１０に記憶する場合には、前記カーソル９３を「Ｓａｖｅ」ボタン９５に合わせて実行ボタン７６（図３参照）を押下する。
【００７５】
これにより、ＣＰＵ３８は、このアノテーション画面５Ｊに基づく画像データ及び情報をメモリーカード１０またはＵＳＢメモリ９に記憶するようにＰＣカードコントローラ４８またはＵＳＢホストコントローラ４６を制御する。
【００７６】
図５に前記アノテーション画像に基づく画像データ及び情報をメモリーカード１０に記憶した場合のホルダ構造が示されている。  
本実施例のビデオプロセッサ４は、メモリーカード１０に対し図５に示すようにホルダ構造に基づいて、画像データ及びアノテーションの記録をハイパーテキスト形式で行うようにしている。
【００７７】
なお、ビデオプロセッサ４は、周知であるＤＣＦ（Design rule for Camera File system）のデジタルカメラ用画像フォーマットを適用しており、さらにアノテーションの記録を行うようになっている。
【００７８】
例えばＣＰＵ３８は、メモリーカード１０に対し、図５に示すように、「ＤＣＩＭ」や「ＩＮＤＥＸ．ＨＴＭ」等の第１ホルダ１０Ａと、画像ホルダ及びアノテーションホルダからなる第２ホルダ１０Ｂと、この第２ホルダ１０Ｂの下層であり、各画像ファイル及び各アノテーションファイルを格納した第３ホルダ１０Ｃとを生成するように制御する。
【００７９】
前記第２ホルダ１０Ｂは、検査毎の複数の画像ファイルを格納した画像ホルダ１０ｂ１、１０ｂ２と、アノテーション機能によって生成されたアノテーション画像（アノテーションも含む）を格納したアノテーションホルダ１０ｂ３と、を有している。  
なお、前記画像ホルダ１０ｂ１、１０ｂ２は、検査毎に作成されて増えることになる。また、前記アノテーションホルダ１０ｂ３についても、同様にアノテーション機能実行毎に作成されて増えることになる。
【００８０】
この場合、図５に示すように、画像ホルダ１０ｂ１のホルダ名を「００１ＡＡＡＡ」とすると、この「００１ＡＡＡＡ」のホルダには、第３ホルダ１０Ｃ内の「ＡＡＡＡ０００１．ＪＰＧ」（ＪＰＧ圧縮画像）や、「ＡＡＡＡ０００１．ＴＨＭ」（サムネイル画像）、あるいは「ＡＡＡＡ０００１．ＴＩＦ」（ＴＩＦＦ非圧縮画像）などの１検査分の画像ファイルが格納される。
【００８１】
また、画像ホルダ１０ｂ２のホルダ名を「９９９ＺＺＺＺ」とすると、この「９９９ＺＺＺＺ」のホルダには、第３ホルダ１０Ｃ内の「ＺＺＡＡ０００１．ＪＰＧ」（ＪＰＧ圧縮画像）や、「ＺＺＡＡ０００１．ＴＨＭ」（サムネイル画像）、あるいは「ＺＺＡＡ０００１．ＴＩＦ」（ＴＩＦＦ非圧縮画像）などの１検査分の画像ファイルが格納される。
【００８２】
そして、本実施例では、アノテーションホルダ１０ｂ３のホルダ名を「ＡＮＮＯ００１」とすると、この「ＡＮＮＯ００１」のホルダには、選択された４つの画像、例えば「ＡＡＡＡ０００１．ＪＰＧ」（ＪＰＧ圧縮画像）、「ＡＡＡＡ０００２．ＪＰＧ」（ＪＰＧ圧縮画像）、「ＡＡＡＡ０００３．ＪＰＧ」（ＪＰＧ圧縮画像）、「ＡＡＡＡ０００４．ＪＰＧ」（ＪＰＧ圧縮画像）と、付記された情報であるアノテーションファイル「ＡＮＮＯ０００１．ＨＴＭ」（ＨＴＭＬファイル）とが格納される。
【００８３】
なお、前記第１ホルダ１０Ａの「ＩＮＤＥＸ．ＨＴＭ」には、全検査の一覧情報などのデータがＨＴＭＬファイルとして格納されるようになっている。
【００８４】
したがって、本実施例によれば、前記したようにアノテーション機能を実行することにより、メモリーカード１０等の記憶媒体に記憶された画像群から複数の画像を選択し且つアノテーションとともに１枚の画像として表示、あるいは記録することができるので、効果的に診察や分析を行うことが可能となる。
【００８５】
また、図５に示すように、ＤＣＦを適用すると同時にアノテーションを付加することにより、記録されたメモリーカード１０の画像データ及びアノテーションをパーソナルコンピュータを用いても再生、表示することが可能となり、使い勝手が向上する。
【００８６】
さらに、通常４枚の画像を１枚の画像として再構築すると、画質劣化等の影響が生じる場合があるが、本実施例では、選択した４枚の画像ファイルはそのままのファイルで記録されると同時にアノテーションもＨＴＭＬファイルで記録されるので、画質劣化することもなく、鮮明な画像及び情報を表示できる。
【実施例２】
【００８７】
図６は本発明の内視鏡装置の第２実施例を示し、内視鏡装置のビデオプロセッサの概略構成を示すフロック図である。  
図６に示すように、ビデオプロセッサ４のＰＣカードスロット４９には、このＰＣカードスロット４９に装着されたメモリーカード１０を、強制的にイジェクトするためのイジェクトボタン４９ａが設けられている。使用者は、このイジェクトボタン４９ａを押下することにより、強制的にメモリーカード１０をイジェクトすることができる。
【００８８】
ところが、ＣＰＵ３８がメモリーカード１０にアクセスしている最中に、イジェクトボタン４９ａを押下してメモリーカード１０をイジェクトすると、メモリーカード１０の記憶されているデータが破壊されてしまう虞がある。また、アクセス中でなくとも、電源供給中に、イジェクトするだけでも、データやメモリーカード１０自身が破壊されてしまう虞がある。
【００８９】
そこで、本実施例では、図６に示すように、ビデオプロセッサ４のフロントパネル４Ｂには、ＰＣカードスロット４９近傍にアクセス停止スイッチ５９（ＰＣカード停止スイッチ５９と同様に作用）及びアクセスＬＥＤ６０が設けられている。なお、アクセス停止スイッチ５９は、図３に示すＰＣカード停止キー７２としても良い。
【００９０】
アクセス停止スイッチ５９は、ＣＰＵ３８が前記メモリーカード１０に対してアクセスしている最中に、なんらかの事情でそのアクセス動作を停止する必要がある場合に押下するスイッチである。  
つまり、アクセス停止スイッチ５９を使用者が押下することにより、ＣＰＵ３８は、これを認識し、メモリーカード１０に対するアクセス（データリード／ライト）を停止するようにＰＣカードコントローラ４８を制御する。さらに、本実施例では、ＣＰＵ３８は、ＰＣカード電源４８ａを制御してＰＣカードスロット４９への電源供給を遮断する。
【００９１】
前記アクセスＬＥＤ６０は、前記ＣＰＵ３８がメモリーカード１０に対するアクセスの有無を表示するものであり、前記ＰＣカードコントローラ４８によって制御されるようになっている。
【００９２】
例えば、ＰＣカードコントローラ４８は、アクセス中、あるいは電源供給中である場合には、アクセスＬＥＤ６０を点灯させ、一方、非アクセス中、あるいは電源遮断中である場合に非点灯させる。これにより、使用者にアクセス状況や電源供給状況を一目で認識させることができるので、イジェクトボタン４９ａによる誤排出を防止でき、メモリーカード１０内のデータやメモリーカード１０自身の破壊を防止できる。
【００９３】
なお、本実施例では、ＣＰＵ３８によって、アクセス停止ボタン５９が押下された際に、ライト中のデータを破棄するように制御しても良く、ライト処理が終了後に、停止処理を行うように制御しても良い。
【００９４】
したがって、本実施例によれば、前記第１実施例と同様の効果が得られる他に、アクセスＬＥＤ６０を設けたことにより、使用者にアクセス状況や電源供給状況を一目で認識させることができる。これにより、イジェクトボタン４９ａによる誤排出を防止でき、メモリーカード１０内のデータやメモリーカード１０自身の破壊を防止できる。
【００９５】
なお、本実施例のアクセスＬＥＤ６０は、図７の変形例に示すように構成しても良い。図７は第２実施例のアクセスＬＥＤの変形例を示し、ビデオプロセッサ４の収容部分の構成を示すブロック図である。
【００９６】
図７に示すように、本例では、ＰＣカードコントローラ４８によって制御される電源制御部４８ｂと、ＰＣカードスロット４９との間には、抵抗Ｒ１を介して例えば緑のアクセスＬＥＤ６０ａが接続されている。  
また、前記ｐｃカードコントローラ４８には、抵抗Ｒ２を介して例えば赤のアクセスＬＥＤ６０ｂが接続されている。これら２つのアクセスＬＥＤ６０ａ、６０ｂは、例えば同一のパッケージで組み付けられ、ビデオプロセッサ４のフロントパネル４Ｂの所定位置に設けられている。
【００９７】
ＰＣカードコントローラ４８は、電源ＯＮ時には、電源制御部４８ｂを制御して前記アクセスＬＥＤ６０ａに電源信号を供給して点灯させ、メモリーカード１０に対するアクセス時には、前記アクセスＬＥＤ６０ａを点灯させると同時に、前記アクセスＬＥＤ６０ｂにアクセス表示信号を供給して点灯させる。一方、ＰＣカードコントローラ４８は、電源ＯＦＦ時及びアクセス停止時には、双方のアクセスＬＥＤ６０ａ、６０ｂを消灯するように制御する。
【００９８】
なお、本例では２つのアクセスＬＥＤ６０ａ、６０ｂを用いたが、２色表示可能なＬＥＤを用いれば１つのＬＥＤを用いて構成しても良い。
【００９９】
したがって、本例によれば、第２実施例と同様の効果が得られる他に、ＰＣカードコントローラ４９に関わる動作状況が一目で使用者に認識させることが可能となる。
【実施例３】
【０１００】
図８は本発明の内視鏡装置の第３実施例を説明するための説明図である。なお、図８は前記第１実施例と同様な構成要素については同一の符号を付して説明を省略する。
【０１０１】
一般に、内視鏡装置１は、リアルタイムで表示される検査中の内視鏡画像と、既にメモリーカード１０等の記録された内視鏡画像とを同時に表示して比較できるようにすることが望まれている。
【０１０２】
このような要求な鑑み、本実施例の内視鏡装置１は、図８に示すように、ビデオプロセッサ４の背面４Ｃ（フロントパネル４Ｂ側でも良い）に、リアルタイム画像出力コネクタ３５Ａと、ＰＣカード画像出力コネクタ３５Ｂとを設け、図示はしないがそれぞれ、モニタ５、５Ｘを接続するように構成している。
【０１０３】
前記リアルタイムコネクタ３５Ａは、図１に示すコネクタ３５に相当する。  
なお、ビデオプロセッサ４の内部構成は、図１に示す内部構成と略同様ではあるが、さらに、ＰＣＩバス４５上にもう一系統のグラフィック回路部を設ければ良い。すなわち、図１に示すＰＣＩバス４５に、グラフィック表示／重畳部３２、Ｄ／Ａ変換回路３４を接続し、このＤ／Ａ変換回路３４に前記ＰＣカード画像出力コネクタ３５Ｂを接続する。さらに、このＰＣカード画像出力コネクタ３５Ｂには、新たに設けられたモニタ５Ｘが接続される。  
その他の構成は、前記第１実施例と同様である。
【０１０４】
上記構成の内視鏡装置１では、モニタ５は、検査中の内視鏡画像１００を表示し、他のモニタ５Ｘは、メモリーカード１０の記憶された従来の内視鏡画像１０１を表示する。  
これによって、リアルタイムで表示される検査中の内視鏡画像１００と、既にメモリーカード１０等の記録された内視鏡画像１０１とを同時に表示して比較することが可能となり、より効果的に検査、分析を行うことが可能となる。
【０１０５】
なお、本実施例は、図９の変形例に示すように構成しても良い。図９は第２実施例の変形例を説明するための説明図である。  
図９に示すように、本例では、前記第２実施例のＰＣカード画像出力コネクタ３５Ｂを削除し、図１に示すビデオプロセッサ４と同様の構成にて、リアルタイムで表示される検査中の内視鏡画像１００と、既にメモリーカード１０等の記録された内視鏡画像１０１とをピクチャ・イン・ピクチャ表示（ＰｉＰ表示）することで同時に表示して比較するようにしている。
【０１０６】
すなわち、ビデオプロセッサ４は、グラフィック表示／重畳部３２により、内視鏡画像データとメモリーカードからのＰＣ画像データとを図９に示すＰｉＰ画面となるように重畳処理を行い、Ｄ／Ａ変換後、コネクタ３５を介してモニタ５に出力する。  
これにより、モニタ５には、図９に示すようなＰｉＰ画面が表示されるので、１つのモニタ５でも、リアルタイムで表示される検査中の内視鏡画像１００と、メモリーカード１０等の記録された内視鏡画像１０１とを同時に表示して比較することが可能となる。
【実施例４】
【０１０７】
図１０は本発明の内視鏡装置の第４実施例を説明するためのもので、図１０（Ａ）はＡ−ＣＣＤの場合の記録される画像を示す説明図、図１０（Ｂ）はＢ−ＣＣＤの場合の記録される画像を示す説明図、図１０（Ｃ）はＡ−ＣＣＤの場合の記録される画像を示す説明図である。なお、図１０は前記第１実施例と同様な構成要素については同一の符号を付して説明を省略する。
【０１０８】
従来の内視鏡装置は、モニタの観察画面に表示されているアスペクト比４：３の画面を記録媒体等に記録していた。
【０１０９】
ところが、このような記録方法だと、内視鏡の場合、記録される画面は、八角形である内視鏡画像と、その内視鏡画像以外のブランクのエリアとを有するものであるため、前記ブランクのエリアも記録されてしまい、記録容量が増大することになる。もちろん、このブランクのエリアには患者ＩＤ等の表示を行う場合もあるが、全ての画像に対して同じ患者ＩＤを記録するのは無駄である。  
そこで、本実施例では、前記ブランクのエリアなどの画面については記録せずに、ＣＣＤに応じた内視鏡画像のみを記録するようにしている。
【０１１０】
図１０に示すように、通常、内視鏡装置は、内視鏡に搭載されたＣＣＤの画素数によって、内視鏡画面の表示エリアが異なる。  
したがって、本実施例の内視鏡装置１は、前記ＣＣＤ識別情報部２２からの識別情報に基づき、ビデオプロセッサ４に接続されている内視鏡２（ＣＣＤ１９）を判別する。つまり、ビデオプロセッサ４のＣＰＵ３８は、前記ＣＣＤ識別情報部２２からの識別情報に基づき、ビデオプロセッサ４に接続されている内視鏡２（ＣＣＤ１９）を判別し、各ＣＣＤ１９に予め対応しているマスクエリアに基づいて、メモリーカード１０に内視鏡画像を記録するように制御する。
【０１１１】
例えば、ＣＰＵ３８は、前記識別情報から内視鏡２のＣＣＤ１９がＡ−ＣＣＤであり、観察画面に表示される内視鏡画像１０２が図１０（Ａ）に示すようなマスクサイズのものと判別した場合には、このマスクサイズの内視鏡画像１０２のみをメモリーカード１０に記録するようにＰＣカードコントローラ４８を制御する。
【０１１２】
また、ＣＰＵ３８は、前記識別情報から内視鏡２のＣＣＤ１９がＡ−ＣＣＤであり、観察画面に表示される内視鏡画像１０３が図１０（Ｂ）に示すようなマスクサイズのものと判別した場合には、このマスクサイズの内視鏡画像１０３のみをメモリーカード１０に記録するようにＰＣカードコントローラ４８を制御する。
【０１１３】
さらに、ＣＰＵ３８は、前記識別情報から内視鏡２のＣＣＤ１９がＣ−ＣＣＤであり、観察画面に表示される内視鏡画像１０４が図１０（Ｃ）に示すようなフル画面のマスクサイズのものと判別した場合には、このマスクサイズ（フル画面）の内視鏡画像１０４のみをメモリーカード１０に記録するようにＰＣカードコントローラ４８を制御する。
【０１１４】
これにより、メモリーカード１０に記録する画像ファイルを小さくすることが可能となる。また、記録する画像ファイルが同じサイズであった場合には、画質を向上させることも可能となる。  
その他の構成、作用、及び効果は、前記第１実施例と同様である。
【実施例５】
【０１１５】
図１１及び図１２は本発明の内視鏡装置の第５実施例を示し、図１１は内視鏡装置のビデオプロセッサの主要部の示すフロック図、図１２はモニタの表示例を示す図である。なお、図１１及び図１２は前記第１実施例と同様な構成要素については同一の符号を付して説明を省略する。
【０１１６】
前記第１実施例の内視鏡装置１は、前記したようにメモリーカード１０を記録する記録フォーマットとしてＤＣＦ方式を用いたが、このＤＣＦ方式だと、患者情報やアノテーションに関し、特定の企画に基づくファイル名で記録され、また、表示する場合にはそのファイル名で実行されることにより、表示されることになる。
【０１１７】
そこで、本実施例の内視鏡装置１は、表示される際に、ＤＣＦ方式のファイル名ではなく、その患者情報に含まれる患者ＩＤや日付を用いて表示するようにして、使用者に解りやすくしている。
【０１１８】
具体的には、図１１に示すように、ビデオプロセッサ４は、さらに、ドライバ４８Ｂ（図１に示すＣＣＤ駆動部２９に相当）及びメモリ４１Ａ（図１に示すＲＡＭ４０あるいはフラッシュメモリ４１に相当）に接続されるファイル名生成部４８Ｃと、前記メモリ４１Ａに接続されるファイル情報取得部４８Ｄと、各種信号処理を行う映像処理回路部３２Ａ（図１に示す後段映像処理部３１及びグラフィック表示／重畳部３２に相当）とを有している。
【０１１９】
ＣＰＵ３８は、ドライバ４８Ｂを駆動させて、前記第１実施例で述べたようにメモリーカード１０にＤＣＦ方式で記憶した各種ファイル名に基づく画像や患者情報及びアノテーションを読み出し、メモリ４１Ａに一旦記憶させると同時に、前記ファイル情報取得部４８Ｄに取り込む。
【０１２０】
そして、ＣＰＵ３８は、前記ファイル情報取得部４８Ｄによって供給された患者情報やアノテーションから、表示するためのファイル情報、例えば患者ＩＤや日付等を取得し、後段の映像処理回路部３２Ａによって、取得したファイル情報と前記ＤＣＦの方式のファイル名と関連付けて表示データを生成する処理を行って、モニタ５に表示させる。  
このときの表示画面の一例が、図１２に示されている。つまり、本実施例の内視鏡装置１では、モニタ５に、患者情報読み込み画面１０５が表示される。この患者情報読み込み画面１０５には、例えば患者ＩＤを表示した患者ＩＤ表示部１０５ａと、この患者ＩＤ表示部１０５ａに対応するもので、画像を記録した日付等を表示した日付表示部１０５ｂとが表示される。
【０１２１】
これにより、使用者はメモリカード１−から読み込んだ患者情報やアノテーションを一目で認識することが可能となる。
【０１２２】
また、前記ＣＰＵ３８は、前記ファイル名生成部４８Ｃによって、ＤＣＦ方式で記録したファイル名に関わらず、前記ファイル情報取得部４８Ｄにより取得したファイル情報に基づき新たなファイル名を作成し、前記既存のファイル名に対応づけてメモリーカード１０に記憶することも可能である。  
その他の構成、作用及び効果は、前記第１実施例と同様である。
【０１２３】
なお、本実施例の内視鏡装置１は、図１３及び図１４の変形例に示すように患者情報が入力の有無に応じてファイル名を生成するように制御しても良い。このような前記第５実施例の変形例を図１３及び図１４を参照しながら説明する。
【０１２４】
図１３及び図１４は前記第５実施例の変形例を説明するもので、図１３はＣＰＵ３８による処理手順を示す説明図、図１４はその処理に応じて生成されたファイル名及び内視鏡画像を示す図である。
【０１２５】
本例の内視鏡装置１では、患者情報が入力されていない場合も考えられるので、これに対処するために、前記ＣＰＵ３８は、ステップＳ１の判断処理にて、所定の患者情報（患者データであり、例えば名前、患者ＩＤ等）が入力されているか否かを判断する。  
この場合、ＣＰＵ３８は、患者情報が入力されているものと判断した場合には、続くステップＳ２の処理にて、少なくとも患者名や患者ＩＤを含んだ名称を生成するようにファイル名生成部４８Ｃ（図１１参照）を制御する。このときの表示例が、図１４（Ａ）に示されている。
【０１２６】
つまり、ＣＰＵ３８は、図１４（Ａ）に示すように内視鏡画像とともに患者情報が表示された画面１０６内の患者情報に基づき、例えば、「ＡＢＣ１２３＿０００２．ＪＰＧ」といったようなファイル名を生成し、メモリーカード１０に記憶するように制御する。
【０１２７】
一方、ＣＰＵ３８は、前記ステップＳ１の判断処理にて、患者情報が入力されてないものと判断した場合には、ステップＳ３の処理にて、少なくとも日時を含んだ名称となるようにファイル名生成部４８Ｃ（図１１参照）を制御する。
【０１２８】
つまり、ＣＰＵ３８は、図１４（Ｂ）に示すように内視鏡画像とともに日時が表示された画面１０７内の日時情報に基づき、例えば、「２００４０６１０１８２４＿０００２．ＪＰＧ」といったようなファイル名を生成し、メモリーカード１０に記憶するように制御する。
【０１２９】
これにより、患者情報が入力されていない場合でも、使用者の解りやすいファイル名でメモリーカード１０に記憶することが可能となり、またこのファイル名で前記第５実施例と同様に表示することも可能となる。
【実施例６】
【０１３０】
図１５は本発明の内視鏡装置の第６実施例を示し、この内視鏡装置内のＣＰＵによる制御例を示すフローチャートである。なお、図１５は前記第５実施例と同様な構成要素については同一の符号を付して説明を省略する。
【０１３１】
本実施例の内視鏡装置１は、起動後、あるいは起動中に内視鏡２を体腔内に挿入して画像記録操作を行う前に、患者ＩＤの入力の有無を判断し、この判断結果に基づき、最適なホルダ名を作成してメモリーカード１０に対する画像記録を行うことが可能である。
【０１３２】
例えば、前記内視鏡装置１のＣＰＵ３８は、画像記録操作実行が開始されると、ステップＳ１０の判断処理にて、起動後、あるいは起動中に内視鏡２を体腔内に挿入して画像記録操作を行う前に、患者ＩＤの入力を行ったか否かを判断する。
【０１３３】
この場合、ＣＰＵ３８は、患者ＩＤの入力を行ったものと判断した場合には、続くステップＳ１１の処理にて、その患者ＩＤの基づくホルダを作成し、内視鏡画像及び患者情報（アノテーションも含む）をそのホルダに格納するようにしてメモリーカード１０に記憶させる。
【０１３４】
一方、前記ステップＳ１０の判断処理にて、患者ＩＤの入力を行ってないものと判断した場合には、前記ＣＰＵ３８は、ステップＳ１２の判断処理にて、レジューム（患者ＩＤ自動保存モード）機能がＯＮされているか否かを判断し、ＯＦＦである場合にはステップＳ１５に移行し、ＯＮである場合にはステップＳ１３に移行する。
【０１３５】
ステップＳ１３の判断処理では、前記ＣＰＵ３８は、患者ＩＤが起動前から既に入力されていたか否かを判断し、入力されてないものと判断した場合にはステップＳ１５に移行し、入力されたいたものと判断した場合には続くステップＳ１４の処理にて、記録画像後の保存先ホルダを、前回使用時の記録ホルダとして設定後、この記録ホルダに内視鏡画像及び患者情報（アノテーションも含む）を格納するようにしてメモリーカード１０に記憶させる。
【０１３６】
ステップＳ１５の処理では、レジューム機能がＯＦＦであり、且つ患者ＩＤが起動前から既に入力されてない状態であるので、ＣＰＵ３８は、フォルダを例えば日付や患者の仮ＩＤを用いて新規作成し、この新規作成したフォルダに内視鏡画像及び患者情報（アノテーションも含む）を格納するようにしてメモリーカード１０に記憶させる。
【０１３７】
したがって、本実施例によれば、メモリーカード１０の内視鏡画像及び患者情報（アノテーションも含む）を記録する際、起動時に患者ＩＤの入力の有無に基づいて保存先ホルダを変更することができ、また、レジューム機能の有無に応じて、保存先ホルダを変更することができるので、この記録内容の読み出す場合に、使用者にとって認識し易くなり、好適である。
【０１３８】
なお、その他の作用、及び効果については、前記第５実施例と同様である。
【０１３９】
また、前記第１乃至前記第６実施例の内視鏡装置１は、さらに、例えば図１６に示すように、患者リストをメモリーカード１０に記録、読み込み可能とすることで、１つの内視鏡装置で作成した患者情報及び患者リストを、別の内視鏡装置で利用可能とするように構成しても良い。  
この場合、図１６に示すように、ＣＰＵ３８は、読み出した患者情報等からメモリ４１Ｂ（図１に示すＲＡＭ４０あるいはフラッシュメモリ４１に相当）を用いて患者リストを作成し、ドライバ４８Ｂ（図１に示すＣＣＤ駆動部２９に相当）を制御してメモリーカード１０に記憶したり、あるいは読み出し制御する。
【０１４０】
本発明は、上述した第１乃至第６実施例、変形例に限定されるものではなく、発明の要旨を逸脱しない範囲で種々変形実施可能である。
【図面の簡単な説明】
【０１４１】
【図１】本発明の内視鏡装置の第１実施例を示し、内視鏡装置の全体構成を示すフロック図。
【図２】図１のビデオプロセッサの外観構成を示す正面図。
【図３】図１のキーボードの外観構成を示す上面図。
【図４】図４及び図５は本実施例の内視鏡装置によるアノテーション機能を説明するためのもので、図４は画像を選択しアノテーション画像を構築するための操作手順を示す説明図。
【図５】図４で構築されたアノテーション画像をメモリーカードに記録した場合のホルダ構造を示す説明図。
【図６】本発明の内視鏡装置の第２実施例を示し、内視鏡装置のビデオプロセッサの概略構成を示すフロック図。
【図７】第２実施例のアクセスＬＥＤの変形例を示し、ビデオプロセッサ４の収容部分の構成を示すブロック図。
【図８】本発明の内視鏡装置の第３実施例を説明するための説明図。
【図９】第２実施例の変形例を説明するための説明図。
【図１０】本発明の内視鏡装置の第４実施例を説明するための説明図。
【図１１】本発明の内視鏡装置の第５実施例を示し、内視鏡装置のビデオプロセッサの主要部を示すフロック図。
【図１２】モニタの表示例を示す図。
【図１３】第５実施例の変形例を説明するもので、ＣＰＵによる処理手順を示す説明図。
【図１４】図１３の処理に応じて生成されたファイル名及び内視鏡画像を示す図。
【図１５】本発明の内視鏡装置の第６実施例を示し、この内視鏡装置内のＣＰＵによる制御例を示すフローチャート。
【図１６】第１乃至第６実施例の内視鏡装置の変形例を示すビデオプロセッサの主要部のブロック図。
【符号の説明】
【０１４２】
１…内視鏡装置、
２…内視鏡、
２Ａ…挿入部、
２Ｂ…操作部、
２Ｃ…被写体、
２ａ…先端部、
３…光源装置、
４…ビデオプロセッサ、
４Ａ…本体、
４Ｂ…フロントパネル、
４Ｃ…背面、
５…モニタ、
５Ａ〜５Ｊ…アノテーション画面、
６…ビデオプリンタ、
７…キーボード、
７Ａ…本体、
７Ｂ…主キー入力部、
７Ｃ…副キー入力部、
８…マウス、
９…ＵＳＢメモリ、
１０…メモリーカード（ＰＣカード）、
１９…ＣＣＤ、
２２…ＣＣＤ識別情報部、
２３…ランプ、
２７…前段映像処理部、
２８…アイソレーション部、
２９…ＣＣＤ駆動部、
３０…調光制御部、
３１…後段映像処理部、
３２…グラフィック表示／重畳部、
３３…キャプチャ部、
３８…ＣＰＵ、
３９…バス、
４０…ＲＡＭ、
４１…フラッシュメモリ、
４２…Ｉ／Ｏポート、
４３…パネル、
４４…ＰＣＩバスブリッジ、
４５…ＰＣＩバス、
４６…ＵＳＢホストコントローラ、
４８…ＰＣカードコントローラ、
４８…カードスロット、
４９ａ…イジェクトボタン、
５１…電源スイッチ、
５２…内視鏡接続コネクタ、
５３…ホワイトバランススイッチ、
５４…光量調整スイッチ、
５５…画像選択スイッチ、
５６…リセットスイッチ、
５７…エンハンスレベルスイッチ、
５９…アクセス停止スイッチ、
６２…ＰＣカードスロット、
６３…カーソル、
７０…入力キー、
７１…ファンクションキー、
７２…ＰＣカード停止キー、
７３…ＰＣカード表示キー、
８３…検査終了キー、
９０…アノテーション位置指定部、
９０Ａ〜９０Ｄ…画像選択カーソル、
９０ａ〜９０ｄ…指定部、
９３…カーソル、
９４ａ〜９４ｄ…画像、
９８…アノテーション画像表示エリア
９９…アノテーション表示エリア
９９ａ…アノテーション。  
代理人    弁理士      伊    藤      進
【図１】
2006218233.tif 000003
【図２】
2006218233.tif 000004
【図３】
2006218233.tif 000005
【図４】
2006218233.tif 000006
【図５】
2006218233.tif 000007
【図６】
2006218233.tif 000008
【図７】
2006218233.tif 000009
【図８】
2006218233.tif 000010
【図９】
2006218233.tif 000011
【図１０】
2006218233.tif 000012
【図１１】
2006218233.tif 000013
【図１２】
2006218233.tif 000014
【図１３】
2006218233.tif 000015
【図１４】
2006218233.tif 000016
【図１５】
2006218233.tif 000017
【図１６】
2006218233.tif 000018